(57)【要約】【課題】光ディスクに対してデザイン性の高い（ホログラム視覚効果のある）画像描画を手軽に行う。【解決手段】光ディスクに照射すべきレーザ光の照射間隔および照射レベルを示すレーザ情報を予め用意しておく。そして、ピットの形成間隔の指定とともに画像描画の指示がされると、指定された形成間隔に対応する前記レーザ情報が示すレーザ光の照射間隔および照射レベルになるようにレーザを制御して、光ディスクにピットを形成させていく。【選択図】        図５
2004171605.tif 000002
【特許請求の範囲】
【請求項１】
レーザ光照射により光ディスクに光学的明暗変質部を形成する光ディスク記録装置を用いて、前記光ディスクに画像描画する方法であって、前記光学的明暗変質部の形成間隔に対応付けて、当該光ディスクに照射すべきレーザ光の照射間隔および照射レベルを示すレーザ情報を予め記憶しておく記憶過程と、
前記光学的明暗変質部の形成間隔の指定とともに画像描画の指示がされると、指定された形成間隔に対応する前記レーザ情報が示すレーザ光の照射間隔および照射レベルになるようにレーザを制御する制御過程と
を有することを特徴とする画像描画方法。
【請求項２】
請求項１に記載の画像描画方法において、
前記制御過程は、複数の画像描画を行う際には、描画する画像ごとに指定された形成間隔に対応する前記レーザ情報が示すレーザ光の照射間隔および照射レベルになるようにレーザを制御すること
を特徴とする画像描画方法。
【請求項３】
レーザ光照射により光ディスクに光学的明暗変質部を形成する光ディスク記録装置を用いて、前記光ディスクに画像描画する方法であって、前記光学的明暗変質部の形成長および／または形成間隔が段階的に変化するようにするために、当該光ディスクに照射すべきレーザ光の照射タイミングおよび照射レベルを指定するレーザ情報を予め記憶しておく過程と、
画像描画が指示されると、指定された形成長および／または形成間隔に対応付けされた前記レーザ情報に基づきレーザ光照射を制御する過程と
を有することを特徴とする画像描画方法。
【請求項４】
レーザ光照射により光ディスクに光学的明暗変質部を形成する光ディスク記録装置を用いて、前記光ディスクに画像描画するためのプログラムであって、
コンピュータを、
前記光学的明暗変質部の形成間隔に対応付けて、当該光ディスクに照射すべきレーザ光の照射間隔および照射レベルを指定するレーザ情報を予め記憶しておく手段と、
前記光学的明暗変質部の形成間隔の指定とともに画像描画の指示がされると、指定された形成間隔に対応する前記レーザ情報により指定されるレーザ光の照射間隔および照射レベルになるようにレーザを制御する手段として機能させることを特徴とするプログラム。
【請求項５】
レーザ光照射により光ディスクに光学的明暗変質部を形成する光ディスク記録装置を備えた、前記光ディスクに画像描画するシステムであって、
前記ピットの形成間隔に対応付けて、当該光ディスクに照射すべきレーザ光の照射間隔および照射レベルを指定するレーザ情報が予め記憶される記憶部と、
前記ピットの形成間隔の指定とともに画像描画の指示がされると、指定された形成間隔に対応する前記レーザ情報により指定されるレーザ光の照射間隔および照射レベルになるようにレーザを制御する制御部と
を有することを特徴とする画像描画システム。
【発明の詳細な説明】
【０００１】
【発明の属する技術分野】
本発明は、光ディスクに対し、本来のデータ記録とは別に、デザイン性の高い（ホログラム視覚効果のある）画像描画を行うための技術に係る。
【０００２】
【従来の技術】
ＣＤ−Ｒ（Ｃｏｍｐａｃｔ  Ｄｉｓｃ−Ｒｅｃｏｒｄａｂｌｅ）などの光ディスクに対し、本来のデータ記録（音楽データの記録など）とは別に、可視画像を形成することができる光ディスク記録装置が提供されている。この種の光ディスク記録装置は、データ記録をしなかった未記録領域に対してレーザ光を照射し、未記録領域の一部を熱変色させることにより、文字や図柄を可視画像として形成している。
近年では、よりデザイン性の高い可視画像を形成すべく、光ディスク上にホログラムを形成することができる光ディスク記録装置についても提案されている（例えば、特許文献１参照。）。
【０００３】
【特許文献１】
特開平１０−０１１８０４号公報
【０００４】
【発明が解決しようとする課題】
しかしながら、ホログラム形成用の記録データは膨大であり、データ作成に多くの演算時間を要する問題があった。
本発明は、以上の点を考慮して行われたものであり、光ディスクに対してデザイン性の高い可視画像を手軽に形成することができる画像描画方法、プログラムおよび画像描画システムを提供することを目的とする。
【０００５】
【課題を解決するための手段】
上記課題を解決するため、本発明に係る画像描画方法は、レーザ光照射により光ディスクに光学的明暗変質部を形成する光ディスク記録装置を用いて、前記光ディスクに画像描画する方法であって、前記光学的明暗変質部の形成間隔に対応付けて、当該光ディスクに照射すべきレーザ光の照射間隔および照射レベルを示すレーザ情報を予め記憶しておく記憶過程と、前記光学的明暗変質部の形成間隔の指定とともに画像描画の指示がされると、指定された形成間隔に対応する前記レーザ情報が示すレーザ光の照射間隔および照射レベルになるようにレーザを制御する制御過程とを有することを特徴としている。
かかる画像描画方法を採用すれば、光ディスク記録装置を用いて光ディスクにレーザ光を照射することにより、光ディスク上に光学的明暗変質部が一定間隔で形成される。これにより、反射率の大きい部分と小さい部分とが交互に表れることになり、光ディスク上に回折格子が形成される。そして、回折格子が形成された領域は、光学的明暗変質部の形成間隔（格子間距離）により決定される方向（観察角度）で視認されることとなるから、光ディスクの一部に回折格子を形成することによる画像描画が実現されることになる。
ここで、光学的明暗変質部とは、プレスディスクにおいてはエンボスピット、記録可能なディスクにおいては、ピット効果を示すマークのことを指す。特に色素層の場合は色素変成マーク、相変化層の場合はアモルファスマーク、光磁気層の場合は磁気変化マークという。ただし、以下の説明においては、説明の便宜上、これらを代表してピットと表現する。
【０００６】
さらに、複数の画像描画を行う際には、描画する画像ごとに指定された形成間隔に対応する前記レーザ情報が示すレーザ光の照射間隔および照射レベルになるようにレーザを制御するようにしてもよい。これにより、描画した画像によって、視認できる方向が異なるようにすることができる。
【０００７】
また、本発明に係る画像描画方法は、レーザ光照射により光ディスクにピットを形成する光ディスク記録装置を用いて、前記光ディスクに画像描画する方法であって、前記ピットの形成長が段階的に変化するようにするために、当該光ディスクに照射すべきレーザ光の照射タイミングおよび照射レベルを指定するレーザ情報を予め記憶しておく過程と、画像描画が指示されると、指定された形成間隔に対応付けされた前記レーザ情報に基づきレーザ光照射を制御する過程とを有することを特徴とする。
かかる画像描画方法を採用すれば、光ディスク記録装置を用いて光ディスクにレーザ光を照射することにより、光ディスク上にピット長が段階的に変化するようにして形成される。これにより、ある方向において、一定波長の光を強く視認することができ、彩色効果を奏することができる。よって、光ディスクの一部に上述したようなピットをくりかえし形成することにより、彩色効果のある画像描画が実現されることになる。
ここで、ピットを等間隔で形成する方向は、光ディスクの中心を原点とした極座標で考えた場合、θ方向（いわゆるトラック方向）に限られず、ｒ方向であってもよい。また、θ方向およびｒ方向のいずれに対しても、ピットの大きさが段階的に変化するように繰り返し形成させ、独自の彩色効果が奏されるようにしてもよい。
【０００８】
【発明の実施の形態】
以下、図面を参照しながら本発明の実施形態について説明する。
本実施形態は、光ディスクとしてＣＤ−Ｒディスクを想定し、上述したようにデザイン性の高い画像描画を手軽に行うことができる光ディスク記録装置に係るものである。はじめに、光ディスク（ＣＤ−Ｒディスク）の内容を説明した上で、どのように画像描画が行われるかについて言及する。
【０００９】
（光ディスクの構成）
図１（ａ）は、光ディスク（ＣＤ−Ｒディスク）２００の断面図である。図１（ａ）に示すように、光ディスク２００は、基板保護層２０１、記録層２０２、反射層２０３、保護層２０４の各層を積層した構造をとっている。なお、図１（ａ）は説明用の図面であり、各層の寸法比等はこの図に示される通りではない。
【００１０】
これらの各層のうち、記録層２０２上には、螺旋状にグルーブ（案内溝）２０２Ｇが形成されており、光ディスク２００に通常のデータ記録をするときには、グルーブ２０２Ｇに沿ってレーザ光の照射が行われる（オン・グルーブ記録）。そして、レーザ光の照射により一定以上の熱量が加えられると、グルーブ２０２Ｇ上に、記録データ長に対応したピット２０２Ｐが形成され、これにより、データ記録が行われる。なお、実際のグルーブ２０２Ｇは、ゆるやかに蛇行形成されており、この蛇行信号を復調することによってディスク位置情報（アドレス情報）が得られるようになっている。ただし、本発明の内容とは直接関係しないため、以下の説明においては、グルーブ２０２Ｇの蛇行は考慮しないものとする。
【００１１】
図１（ｂ）は、グルーブ２０２Ｇに沿ってレーザ光が照射された結果、グルーブ２０２Ｇ上にピット２０２Ｐが形成された状態を示す図である。個々のピット２０２Ｐの長さは、記録データ長に対応しており、個々のピットの長さはバラバラ（数十μｍ〜数百μｍ程度）である。隣り合うグルーブ２０２Ｇ上のピット２０２Ｐの形成位置が揃うようなことは想定しにくい。
【００１２】
データの再生をするときは、グルーブ２０２Ｇに沿って、再生用の低いレベルのレーザ光が照射される。ここで、ピット２０２Ｐとピット２０２Ｐに挟まれた部分をランド２０２Ｌとして定義すると、ピット２０２Ｐとランド２０２Ｌの反射率は異なるようになる。このため、グルーブ２０２Ｇに沿ってレーザ光を照射したときに得られる反射光のレベルの変化を検出すれば、データ長に対応するピット２０２Ｐの長さを検出することができ、これによりデータの再生処理が行われる。
【００１３】
（本発明の原理）
本発明者は、同じ長さのピット２０２Ｐを一定周期でくりかえし形成すれば、反射率の異なる部分が交互に形成されるから、これにより、記録層２０２上に回折格子を形成することができるのではないか考えた。そして、回折格子を形成した光ディスク２００を、ある角度から眺めると、回折格子を形成した領域を視認することができるから、ホログラムとしての視認効果が得られるのではないかという点に着目した。そして、これらの着目点につき、実験による確証を行った。
【００１４】
図２（ａ）〜（ｃ）は、光ディスク２００（記録層２０２）に、ピット２０２Ｐによる回折格子を形成して画像描画を行った状態を例示するものである。
図２（ａ）は、光ディスク２００の全体図である。図２（ｂ）は、図２（ａ）における領域４１を拡大した図である。また、図２（ｃ）は、図２（ｂ）における領域４２をさらに拡大した図である。なお、図２（ｃ）では、データ記録（図１（ｂ））との対比を明確にするために、上下を反転させて図示した。
【００１５】
図２（ａ）〜（ｃ）は、光ディスク２００（記録層２０２）上に、アルファベット文字である「Ａ」を描画した例を示したものである。図２（ｃ）は、に示すように、アルファベットの「Ａ」の輪郭部分について、同じ長さのピット２０２Ｐが一定間隔で形成されている。これにより、回折格子が形成されている。回折格子を構成するピット２０２Ｐの長さは数波長程度の長さになっており、データ記録をする際のピット長よりも短いものとなっている。図２（ｃ）に示すように、隣接するグルーブ２０２Ｇに形成されるピット２０２Ｐは、その形成位置が揃えられており、格子状に整然と並んだ状態になっている。
【００１６】
次に、このようにして回折格子が形成された光ディスク２００を眺めたときに、どのようにしてホログラムの視認効果が奏されるかを説明する。
図３は、記録層２０２のグルーブ２０２Ｇ上に、２つのピット２０２Ｐ−１，２０２Ｐ−２が形成された場合を、断面図として示したものである。２つのピット２０２Ｐ−１，２０２Ｐ−２は、その中心位置が間隔Ｄだけ離れるようにして形成されている（以下、これを格子間距離ｄという）。２つのピット２０２Ｐ−１，２０２Ｐ−２に挟まれた部分はランド２０２Ｌにあたる。
【００１７】
図３において、記録層２０２の面に垂直な方向で可視光（波長４００〜７００ｎｍの光）を入射させる。ここでは、ピット２０２Ｐ−１と２０２Ｐ−２により反射した光のみを考慮し、ランド２０２Ｌによって反射される光は無視できるものと想定する。
ピット２０２Ｐ−１，２０２Ｐ−２に入射した光はそれぞれ反射されることとなり、ピット２０２Ｐ−１による反射光と、ピット２０２Ｐ−２による反射光は干渉して、互いに強めあったり弱めあったしていく。
【００１８】
ここで、観測者（ユーザ）が光ディスク２００を眺める方向と、光ディスク２００の面に垂直な方向とが作る角度θを観測角度と定義する（図３参照）。光ディスク２００（記録層２０２）に入射した可視光の波長をλとすれば、ピット２０２Ｐ−１，２０２Ｐ−２によりそれぞれ反射された光の光路差Ｑは以下の式（１）により与えられる。
【００１９】
Ｑ＝ｄｓｉｎθ  …式（１）
【００２０】
この光路差Ｑが、可視光波長λの整数倍、すなわち、λ、２λ、３λ、……、に等しくなる観測角度θにおいては、２つの反射光は強めあうことになり、一方、光路差Ｐが半波長λ／２、３λ／２、５λ／２、……、に等しくなる観測角度θにおいては、２つの反射光は弱めあうことになる。
以上のことから、観測角度θが以下の式（２）を満たす場合に、２つの反射光は強めあい、観測者は反射光を視認できることになる。
【００２１】
Ｐ１＝ｄｓｉｎθ１＝ｍλ  （ｍは自然数）  …式（２）
ｍ＝１として考えると、θ１＝ａｒｃｓｉｎ（λ／ｄ）
【００２２】
一方、観測角度θ２が以下の式（２）を満たす場合に、２つの反射光は弱めあい、観測者は反射光を視認できない（あるいは視認できにくい）ことになる。
【００２３】
Ｑ２＝ｄｓｉｎθ２＝（ｍ−１／２）λ  （ｍは自然数）  …式（３）
ｍ＝１として考えると、θ２＝ａｒｃｓｉｎ（λ／２ｄ）
【００２４】
図３においては、２つのピット２０２Ｐ−１、２０２Ｐ−２の中点と観測点との方向となす角度を観測角度θとしているが、２つのピット間距離が数μｍであるのに対し、観測距離が数十ｃｍであり、約１万倍の距離差がある。このため、２つのピット２０２Ｐ−１、２０２Ｐ−２からの反射光は平行光と近似して差し支えない。
結局のところ、ピット２０２Ｐ−１，２０２Ｐ−２による反射光は、観測角度θ１の方向では光路差がλとなって互いに強めあうことになるから、観測者はこれを視認できる。一方、観測角度θ２の方向では光路差がλ／２となって互いに弱めあうことになるから、観測者はこれを視認できないという、ホログラムの視覚効果を奏することになる。
ここで、観測角度θの値は、入射光の波長λおよび格子間距離ｄの値により決定される。このため、図４に示すように、格子間距離ｄそのものを変えることによって、観測者が視認できる光の波長および観測角度θを調整することができる。視認できる光の波長を調整できることを言い換えると、視認できる色を調整できることに相当する。
【００２５】
（光ディスク記録装置の構成）
次に、このようなピット２０２Ｐによる回折格子を形成することができる光ディスク記録装置１００について説明する。
図５は、本実施形態に係る光ディスク記録装置１００の構成図である。
このうち、制御部１６は、メモリ（図示せず）に予め格納されるプログラムに従い、装置各部を統括する。そして、光ディスク２００にデータ記録や画像描画を行っていく。
スピンドルモータ１１は、光ディスク（ＣＤ−Ｒディスク）２００を回転駆動するためのモータである。本実施形態では、光ディスク２００を、角速度一定（ＣＡＶ：Ｃｏｎｓｔａｎｔ  Ａｎｇｕｌａｒ  Ｖｅｌｏｃｉｔｙ）で回転駆動することを想定する。
【００２６】
光ピックアップ１０は、レーザダイオード、レンズやミラー等の光学系、および戻り光の受光素子を一体としたユニットである。
光ディスク２００に対するデータ記録、あるいは記録したデータの再生を行う場合、光ピックアップ１０は、光ディスク２００にレーザ光を照射して、その際の戻り光を受光する。光ピックアップ１０は、受光信号であるＥＦＭ（Ｅｉｇｈｔ  ｔｏＦｏｕｒｔｅｅｎ  Ｍｏｄｕｌａｔｉｏｎ）変調されたＲＦ信号をＲＦアンプ１２に出力する。また光ピックアップ１０は、モニタダイオードを有しており、レーザ光を照射した際に、モニタダイオードに電流が流れると、この電流量に対応する信号をレーザパワー制御回路２０に供給する。
【００２７】
ＲＦアンプ１２は、データ記録あるいは画像描画を行う際に、光ディスク２００にレーザ光を照射して得られる反射光に係る信号をサーボ回路１３、アドレス検出回路１４などに出力する。また、記録したデータの再生をする際には、光ピックアップ１０から供給されるＥＦＭ変調されたＲＦ信号を増幅し、増幅後のＲＦ信号をサーボ回路１３、デコーダ１５などに出力する。
【００２８】
デコーダ１５は、記録したデータの再生をする際に、ＲＦアンプ１２から供給されるＥＦＭ変調されたＲＦ信号をＥＦＭ復調し、再生データを生成する。
アドレス検出回路１４は、データ記録時あるいは画像描画を行う際に、ＲＦアンプ１２から供給される信号からウォブル信号成分を抽出し、ウォブル信号成分に含まれるアドレス情報（ディスクの位置情報）を復号し、制御部１６に出力する。
サーボ回路１３は、スピンドルモータ１１の回転制御、光ピックアップ１０におけるフォーカス制御、トラッキング制御等を行う。
【００２９】
レーザパワー制御回路２０は、光ピックアップ１０のレーザダイオードから照射されるレーザパワーを制御するための回路である。レーザパワー制御回路２０は、光ピックアップ１０のモニタダイオードから供給される電流値と、制御部１６から供給される最適なレーザパワーの目標値を示す情報とに基づき、光ディスク２００にピット２０２Ｐを形成するために最適なレーザパワーのレーザ光が光ピックアップ１０から照射されるよう、レーザドライバ１９を制御している。
【００３０】
バッファメモリ２９は、データ記録時にホストコンピュータ１１０から供給されるデータ、すなわち、光ディスク２００に記録すべきデータ（記録データ）をＦＩＦＯ（先入れ先出し）形式にて記憶する。エンコーダ１７は、バッファメモリ２９から読み出された記録データをＥＦＭ変調し、ストラテジ回路１８に出力する。ストラテジ回路１８は、エンコーダ１７から供給されたＥＦＭ信号に時間軸補正処理を行い、レーザドライバ１９に出力する。
レーザドライバ１９は、ストラテジ回路１８から供給される記録データに応じて変調された信号と、レーザパワー制御回路２０の制御に基づいて、光ピックアップ１０のレーザダイオードを駆動する。
【００３１】
図６は、本実施形態において、画像描画を行うために採用した座標系を示したものである。図６に示すように、ディスク内周に位置するグルーブ２０２Ｇの開始地点を基準点（１行１列）とし、基準点からディスク外周に向かって順番に１行、２行、３行、……、とする。一方、基準点（１行１列）から、他の放射線に対応付けて、時計回り順番に１列、２列、３列、……、とする。
【００３２】
フレームメモリ２８には、図７に示すように、行と列に対応付けされたデータがそれぞれ格納されていく。個々のデータは、上述した座標系のうちの１座標、すなわち光ディスク２００の１領域に対応するものであり、当該領域に形成する回折格子のパターンを指定するデータに相当する。図７において、「Ａ」と示された座標位置にはパターンＡの回折格子が形成され、「Ｂ」と示された座標位置にはパターンＢの回折格子が形成されることになる。なお「０」と示された座標位置には何も回折格子が形成されない。
【００３３】
本実施形態においては、図８に示すように、光ディスク２００に形成する回折格子のパターンが予め決定されている。回折格子のパターンは、回折格子を構成するピット２０２Ｐ形成される間隔（格子間距離）ｄおよびピット２０２Ｐの長さ、そして、それぞれの変化量（Δとδ）により特定される。なお、変化量σとδはピット２０２Ｐの長さを微調整するためのパラメータであり、記録実験等を行うことにより予め決められている。変化量Δとδの値はゼロであってもよい。そして、各々の回折格子を形成するために、光ピックアップ１０から光ディスク２００（記録層２０２）に照射すべきレーザ光の照射間隔および照射レベルに係る情報（これを、レーザ情報という）が実験等により予め求められている。このレーザ情報は、回折格子のパターンと対応付けられたテーブル（図８参照）として、制御部１６のメモリ内に格納されている。なお、このテーブルは、ホストＰＣ１１０内に格納されていてもよい。
【００３４】
なお本実施形態においては、図７に示すように、１０列×１０行を１単位とし、この領域内では、同じ回折格子のパターンが形成されるようにデータを構成した。これは、人間が視認できる最低限の領域には同じパターンの回折格子が形成されるようにし、確実に画像認識（ホログラム認識）が行われるようにするための配慮である。１０列×１０行はあくまでも一例であり、これ以外の領域を１単位とするようにしてもよい。
【００３５】
フレームメモリ２８に蓄積されたデータは、１つずつ制御部１６により読み出されていく。そして読み出されたデータに対応するレーザ情報がストラテジ回路１８に供給される。ストラテジ回路１８では、１座標ごとのレーザ情報により指定されるレーザ光の照射間隔および照射レベルに応じたストラテジ信号を生成し、レーザドライバ１９に出力する。レーザドライバ１９は、供給されたストラテジ信号に基づき、光ピックアップ１０のレーザダイオードを駆動していくことになる。
【００３６】
ここで、ストラテジ回路１８から出力されるストラテジ信号について説明する。
図９は、制御部１６の制御下、ストラテジ回路１８から出力されるストラテジ信号の内容を示したものである。横軸は時間軸、縦軸は照射レーザ光のレベルに対応している。ストラテジ信号の形状（パルス幅やパルス間隔）によって、光ピックアップ１０から光ディスク２００に対するレーザ光の内容が制御される。
図１３では、ストラテジ信号の内容と光ディスク２００に形成されるピット２０２Ｐの内容を併記した。図１３では、ストラテジ信号のパルス幅と、形成されるピット２０２Ｐの長さが対応する記載としたが、実際には、レーザ光照射による熱伝導の影響等を考慮し、ストラテジ信号には時間補正が施されることになる。
【００３７】
（画像を描画する際の動作）
次に、画像を描画する際、すなわち、光ディスク２００に回折格子によるホログラムの形成する際の具体的な動作の内容について説明する。
図１０は、画像描画をする際の制御部１６の制御内容を示すフローチャートである。
画像描画の準備段階として、ユーザは、光ディスク記録装置１００に光ディスク２００をセットするとともに、ホストＰＣ１１０を操作し、ホログラムとして描画する画像の内容（文字、図柄など）とホログラムの形成位置（光ディスク２００の位置）を指定する。そして、ホログラムとして形成したい画像ごとに、どの回折格子パターンにより描画するかを指定する。言い換えると、画像描画として形成するピット２０２Ｐの形成間隔（格子間距離）Ｄを指定する。
【００３８】
ユーザにより画像の描画開始が指示されると（ステップＳａ２１）、制御部１６は、装置各部を制御し、以下のようにして光ディスク２００上に画像の描画を行っていく。
制御部１６は、ユーザの指定画像に係る画像データがホストＰＣ１１０から供給されると、ホログラム形成位置に対応したフレームメモリ２８に順次格納していく（ステップＳａ２２）。この際、制御部１６は、ユーザが指定した回折格子パターンを示す情報を、対応する座標位置に格納していくことになる（図７参照）。
【００３９】
その後、制御部１６は、装置各部を制御して、フレームメモリ２８から、１の座標ごとにデータを読み出し、対応するレーザ情報（図８参照）をストラテジ回路１８に供給する（ステップＳａ２３）。ストラテジ回路１８では、レーザ情報により指定されるレーザの照射間隔、照射レベルになるようなストラテジ信号を生成し、レーザドライバ１９に出力する。これにより、光ディスク２００（記録層２０２）にレーザ光が照射され、ユーザが指定した回折格子パターンになるようにピット２０２Ｐが形成されていくのである（ステップＳａ２４）。
【００４０】
なお、上述した動作は、ユーザが１の画像につき１の回折格子パターンを指定した場合を想定しているが、複数の画像を描画するときは、画像ごとに回折格子パターンを指定できるようにしてもよい。この場合は、描画する画像ごとに、制御部１６によって、上述制御が行われることになる。
【００４１】
（具体例）
以上述べたようにして回折格子を形成して画像描画を行う具体的な例をいくつかあげて説明する。
（１）ステレオグラム
これまでの説明では、観測者の観測角度θを１つの値として扱ったが、実際には、観測者は右目と左目により観測角度が微妙に異なっている。すなわち、右目による観測角度をθＲ、左目による観測角度をθＬとすると、観測角度θＲとθＬとは微妙に異なる値になる。この性質を踏まえ、右目用の回折格子パターンを形成するためのレーザ情報と、左目用の回折格子パターンを形成するためのレーザ情報とを予め別々に用意しておき、光ディスク２００の同じ領域内に交互に回折格子を形成していけば、３Ｄ（３ｄｉｍｅｎｓｉｏｎ）の視覚効果を奏することができる。
具体的に言うと、光ディスク２００（記録層２０２）の領域を、図１１（ａ）に示すように、右目用の領域と左目用の領域が交互に表れるように分けておく。個々の領域の大きさは任意であり、たとえば数波長〜数百μｍ程度の四方による区画分けをすればよい。好ましくは数十μｍ〜２００μｍの区画分けをするのがよい。そして、右目用の領域には、観測角度θＲで視認されるような回折格子パターンを形成し、左目用の領域には、観測角度θＬで視認されるような回折格子パターンを形成する。このようにして形成した回折格子を両目でみると、当該回折格子の形成領域（画像）は立体的に視認されることとなり、いわゆる３Ｄの視覚効果を奏することができるのである。
【００４２】
（２）絵柄と文字とを同位置に形成
光ディスク２００（記録層２０２）の領域を、図１１（ｂ）に示すように、絵柄を形成するための領域と、文字を形成するための領域に分けておく。そして、絵柄形成用の領域には、ある格子間距離ｄ１による回折格子パターンにより描画をし、一方、文字形成用の領域には、別の格子間距離ｄ２による回折格子パターンによる描画をする。
このように、異なる格子間距離ｄを用いてそれぞれ画像描画をすることにより、光ディスク２００を徐々に傾けていくと、ある観察角度では絵柄を視認することができ、ある観察角度においては文字を視認することができるといった、特別な視覚効果を奏することができるのである。
【００４３】
（３）点滅
ある絵柄について、正転画像の回折格子と、反転画像の回折格子とを交互に形成するようにしてもよい。この場合は、光ディスク２００を徐々に傾けていくと、ある観察角度では正転画像を視認することができ、ある観察角度においては反転画像を視認することができる、……というような特別な視覚効果を奏することができる。
【００４４】
（４）移動
同じ絵柄を光ディスク２００の異なる領域に複数形成するようにしてもよい。図１１（ｃ）は、音符記号「♪」につき、三箇所の異なる位置（位置Ｉ、位置ＩＩ、位置ＩＩＩ）に描画した場合を示している。各々の文字につき異なる格子間距離ｄによる回折格子パターンを用いて描画しておけば、視認される観測角度θは、それぞれ異なることになる。
これにより、光ディスク２００を徐々に傾けていくと、ある観察角度θ１で位置Ｉで視認された音符記号「♪」は、その後、別の観察角度θ２では、位置ＩＩで視認される。さらに別の観察角度θ３では、位置ＩＩＩで視認される、というように、あたかも音符記号「♪」が位置移動していくような、特別な視認効果を奏することができるのである。
【００４５】
（５）色付け
図１２に示すようなパターン、すなわち、ディスクの半径方向とグルーブ２０２Ｇ方向のそれぞれにおいてピット２０２Ｐの長さが段階的に変化するようにしてして形成し、回折格子を生成するようにしてもよい。このような回折格子のパターンを繰り返し形成した光ディスク２００に、可視光（４００〜７００ｎｍの光）を照射すると、見る角度によって視認される反射光の波長が異なることが知られている。視認される反射光の波長が異なるということは、見る角度によって視認される色彩が変化することに他ならない。
これにより、光ディスク２００上に、図１２に示すような回折格子パターンが形成されるようにして、文字や図柄の描画を行うと、光ディスク２００を徐々に傾けていった場合に、ある観察角度においては特定波長の反射光（例えば赤色の光）によって文字や図柄が視認され、別の観察角度においては別波長の反射光（たとえば青色）の反射光によって文字や図柄が視認されることになる。このように、観察する角度に応じて色が変化するという特別な彩色効果が奏されることになる。
【００４６】
以上説明したように、本実施形態に係る光ディスク記録装置１００によれば、あらかじめ用意された回折格子パターンを用いて、ホログラムの視覚効果を奏する画像形成を手軽に行うことができる。
【００４７】
（変形例）
以上述べた各実施形態は、本発明の内容を説明するための例示に過ぎず、任意に変形を加えることができる。以下に、変形例のいくつかを示す。
【００４８】
（変形例１）
上述した各実施形態では、光ディスク２００のトラック方向（θ方向）にホログラム効果を有する画像形成方法について説明したが、半径方向（ｒ方向）にも形成することができる。この場合、トラックピッチの値によって可視画像形成の自由度は低くなるが、トラックピッチを考慮するようにしてピット形成の工夫をすればよい。
【００４９】
（変形例２）
上述した各実施形態では、外部装置であるホストＰＣ１１０から光ディスク記録装置１００に対し、画像データを供給するようにしていたが、画像データを光ディスク記録装置１００内のメモリ（図示せず）に予め格納しておくようにしてもよい。描画することができる画像を文字や数字などのキャラクタに限定するような場合は、画像データの総量も少なくなるので、予め光ディスク記録装置１００に格納しておけば、装置単体として、回折格子によるホログラムの形成をすることができる。
【００５０】
（変形例３）
音楽データ等のデータ記録をするたびに、何らユーザの指示によることなく、記録した日時や時刻に関わるタイムスタンプ情報を、自動的に画像形成するようにしてもよい。タイムスタンプ情報に係る画像データは、外部装置（ホストＰＣ１１０）から光ディスク記録装置１００に供給するようにすればよい。
【００５１】
（変形例４）
光ディスク２００は各種メーカーにより製造提供されており、メーカーごとに記録層２０２（グルーブ２０２Ｇ）の特性は異なるのが現状である。たとえば、記録層２０２の熱吸収率が異なると、回折格子を形成するために照射すべきレーザ光の強度が異なることになる。これらの点を考慮して、予め多数のメーカーの光ディスク２００に対して回折格子を形成するための実験を行い、レーザ光の照射強度の最適値を求めておくのが好ましい。
この場合、光ディスク２００を識別するための情報（ディスクＩＤ情報）に対応付けてレーザ光の最適照射強度を記憶させておけば、セットされた光ディスク２００に係るディスクＩＤ情報を読み取り、当該光ディスク２００に最適なレーザ光照射をすることができる。
【００５２】
【発明の効果】
以上説明したように、本発明に係る光ディスク記録装置によれば、光ディスクに対してデザイン性の高い（ホログラム視覚効果のある）画像描画を手軽に行うことができる。
【図面の簡単な説明】
【図１】本発明の実施形態に係る光ディスク２００の側断面図、および、光ディスク２００にピット２０２Ｐが形成された状態を示す図である。
【図２】光ディスク２００に画像描画が行われた状態を示した図である。
【図３】本発明の原理を説明するための図である。
【図４】ピット２０２Ｐにより形成する回折格子のパターンを説明するための図である。
【図５】本発明の実施形態に係る光ディスク記録装置１００の構成図である。
【図６】本発明の実施形態で採用した座標系を図示したものである
【図７】画像データの内容を説明するための図である。
【図８】回折格子パターンについて説明するための図である。
【図９】ストラテジ信号の内容を示す図である。
【図１０】制御部１６の制御内容を示すフローチャートである。
【図１１】本発明の具体的な効果を説明するための図である。
【図１２】本発明の具体的な効果を説明するための図である。
【符号の説明】
１０……光ピックアップ、１１……スピンドルモータ、１２……ＲＦアンプ、１３……サーボ回路、１４……アドレス検出回路、１５……デコーダ、１６……制御部、１７……エンコーダ、１８……ストラテジ回路、１９……レーザドライバ、２０……レーザパワー制御回路（ＬＰＣ）、２８……フレームメモリ、２９……バッファメモリ、１００……光ディスク記録装置、１１０……ホストＰＣ、２００……光ディスク、２０１……基板保護層、２０２……記録層、２０２Ｇ……グルーブ、２０２Ｐ……ピット、２０３……反射層、２０４……保護層。
【図１】
2004171605.tif 000003
【図２】
2004171605.tif 000004
【図３】
2004171605.tif 000005
【図４】
2004171605.tif 000006
【図５】
2004171605.tif 000007
【図６】
2004171605.tif 000008
【図７】
2004171605.tif 000009
【図８】
2004171605.tif 000010
【図９】
2004171605.tif 000011
【図１０】
2004171605.tif 000012
【図１１】
2004171605.tif 000013
【図１２】
2004171605.tif 000014